(57)【要約】      （修正有）【課題】襟刳開口から袖に向かう部分を離間させて襟刳開口を拡張可能とし、「着用者自身の感染抑制」と「脱衣の容易化」の両立を実現する衣服を提供する。【解決手段】着用者の頭部を通す襟刳開口２と、着用者の腕部を通す袖３を有した衣服１であって、襟刳開口から袖に向かう部分Ｘを離間させて襟刳開口を拡張可能な拡張部４を備える。衣服は抗ウイルス性を有していたり、着用者の胴部をシート状物１Ａで覆い、シート状物は、襟刳開口から袖に向かう部分に、複数枚が重なる部分Ｙを有し、拡張部は、複数枚が重なる部分において対向する内側に、内側同士を係合させる係合部材５が取り付けられていても良い。【選択図】図１
0003230599.tif 000002
【実用新案登録請求の範囲】
【請求項１】
着用者の頭部を通す襟刳開口と、着用者の腕部を通す袖を有した衣服であって、
前記襟刳開口から前記袖に向かう部分を離間させて前記襟刳開口を拡張可能な拡張部を有していることを特徴とする衣服。
【請求項２】
抗ウイルス性を有していることを特徴とする請求項１に記載の衣服。
【請求項３】
当該衣服は、着用者の胴部をシート状物で覆っており、
前記シート状物は、前記襟刳開口から前記袖に向かう部分に、複数枚が重なる部分を有し、
前記拡張部は、前記複数枚が重なる部分において対向する内側に、その内側同士を係合させる係合部材が取り付けられていることを特徴とする請求項１又は２に記載の衣服。
【考案の詳細な説明】
【技術分野】
【０００１】
本考案は、脱衣容易な衣服（アイソレーションガウン等）に関する。
【背景技術】
【０００２】
従来、医療行為時に着用するガウンが知られている（特許文献１）。
このガウンは、前身頃と該前身頃の両脇に後身頃右半部および後身頃左半部が一体に形成された本体部と、この本体部の衿ぐりから脇へ斜めに至る袖付け線上に縫着されたラグラン袖とを備え、前記本体部の腰まわりに取り付けられた一対の帯片を結ぶことにより左右の後身頃半部を閉じて着用し、折り畳まれて包装用袋に封入されるガウンであって、前記前身頃のうら面に、左右の腕を差し入れる位置と方向を示すマークが標され、前記ラグラン袖の前身頃における前袖付け線の衿ぐり上の切り替え位置は、後身頃左右半部における後袖付け線の衿ぐり上の切り替え位置よりも中心線側に寄り、前記本体部を左右の脇線で外おもてに折り、両袖を身幅に折り畳んで前身頃の上に置く一方、後身頃左右半部の端をガウンの着丈方向に沿ってそれぞれ外向きにほぼ半幅に折り返して前記マークを露出させ、次いで、本体部を身幅方向に沿って谷折りと山折りとを交互に繰り返して扇子状に畳んで前記袖の上に重ね、さらに着丈方向に沿って前記マークを見せる方向に折り畳まれている。
【先行技術文献】
【特許文献】
【０００３】
【特許文献１】特開平１１−３６１１４号公報
【考案の概要】
【考案が解決しようとする課題】
【０００４】
しかしながら、特許文献１に記載されたガウンを着用した医療従事者が、当該ガウンを脱ぐ場合、以下の問題がある。
特許文献１のガウンを着用した医療従事者が、ウイルス（新型コロナウイルス（COVID-19）等）や細菌等の感染者に対して治療や看護等を行ったり、又、手術などを行う際には、感染者や患者等との接触や、感染者等の咳やくしゃみなどにより空気中に浮遊するウイルス等を含む飛沫により、特許文献１のガウンの表面にウイルス等が付着することとなる。
【０００５】
ウイルス等が表面に付着した状態で特許文献１のガウンを脱ぐ場合、医療従事者の肌が露出した部分に、当該ガウンの表面に付着したウイルス等が触れてしまえば、医療従事者自身がウイルス等に感染する虞がある。
このような感染を避けるために、特許文献１のガウンを脱ぐ場合には、介助者により、特許文献１のガウンから医療従事者の体を抜く等の助けが必要となり、特に、特許文献１のガウンは、医療従事者の頭部以外の部分を覆う程度の丈を有しているため、当該ガウンから医療従事者の胴体等を抜く際にも介助者の助けが必要となるなど、多大な手間と人的負担を要する。
【０００６】
そこで、本考案は、襟刳開口から袖に向かう部分を離間させて襟刳開口を拡張可能な拡張部を有すること等により、「着用者自身の感染抑制」と「脱衣の容易化」の両立などを実現できる衣服を提供することを目的とする。
【課題を解決するための手段】
【０００７】
本考案に係る衣服１は、着用者の頭部を通す襟刳開口と、着用者の腕部を通す袖を有した衣服であって、前記襟刳開口から前記袖に向かう部分を離間させて前記襟刳開口を拡張可能な拡張部を有していることを第１の特徴とする。
【０００８】
本考案に係る衣服１の第２の特徴は、上記第１の特徴に加えて、抗ウイルス性を有している点にある。
【０００９】
本考案に係る衣服１の第３の特徴は、上記第１又は２の特徴に加えて、当該衣服は、着用者の胴部をシート状物で覆っており、前記シート状物は、前記襟刳開口から前記袖に向かう部分に、複数枚が重なる部分を有し、前記拡張部は、前記複数枚が重なる部分において対向する内側に、その内側同士を係合させる係合部材が取り付けられている点にある。
【００１０】
これらの特徴により、襟刳開口２から袖３に向かう部分Ｘを離間させて襟刳開口２を拡張可能な拡張部４を備えることによって、特許文献１とは異なり、感染者の治療等を行った際に衣服１の表面にウイルス等が付着しても、拡張部４で襟刳開口２を拡張させるだけで、拡張させた襟刳開口２に、着用者Ｔの頭部Ｈだけでなく、肩部Ｓも通すことが可能となって、衣服１の表面に付着したウイルス等に着用者Ｔが触れることなく、着用者Ｔだけで拡張させた襟刳開口２から着用者Ｔの体全体を抜くことが出来る（衣服１の丈が長くとも、着用者Ｔの肩部Ｓでの引っ掛かりがないため、当該衣服１が着用者Ｔの足元まで下げられたり、重力により自然に下がることになる）ことから、介助者の助け等は不要となる。
つまり、「着用者自身の感染抑制」と「脱衣の容易化」の両立が実現できる。
尚、医療従事者が医療行為時等に着用するものをアイソレーションガウンとも呼ぶことから、衣服１は「脱衣容易なアイソレーションガウン」であるとも言える。
【００１１】
又、衣服１自体に抗ウイルス性を持たせることによって、感染者の治療等を行っても衣服１の表面にウイルス等が付着し難くなったり、仮に、衣服１の表面にウイルス等が付着しても、着用者Ｔ等に当該ウイルスが感染し難くなるため、更なる「着用者自身の感染抑制」が図れる。
【００１２】
更に、拡張部４として、シート状物１Ａにおける複数枚が重なる部分Ｙにおいて対向する内側に、その内側同士を係合させる係合部材５を取り付けることによって、拡張部４で襟刳開口２から袖３に向かう部分Ｘを離間させていない時には、シート状物１Ａにおける複数枚が重なる部分Ｙの内側同士が係合している分だけ、衣服１の内部にウイルス等が入り難くなり、更に「着用者自身の感染抑制」が実現できる。
【考案の効果】
【００１３】
本考案に係る衣服によると、襟刳開口から袖に向かう部分を離間させて襟刳開口を拡張可能な拡張部を有すること等により、「着用者自身の感染抑制」と「脱衣の容易化」の両立などを実現できる。
【図面の簡単な説明】
【００１４】
【図１】本考案に係る衣服の展開概要図である。
【図２】展開した衣服（左右の拡張部が離間させていない状態）を示す図面代用写真である。
【図３】展開した衣服（左右のうち一方の拡張部が離間させた状態）を示す図面代用写真である。
【図４】衣服と、当該衣服を着用した着用者を示す概要図である。
【図５】衣服の襟刳開口と拡張部等を示す図面代用写真である。
【図６】離間させた状態の拡張部と、拡張された襟刳開口を示す図面代用写真である。
【図７】展開した衣服における、左右両方の離間させた状態の拡張部と、拡張された襟刳開口を示す図面代用写真である。
【図８】離間させた状態の拡張部と、袖の基端を示す図面代用写真である。
【図９】襟刳開口の開閉部を示す図面代用写真である。
【図１０】衣服の袖を示す図面代用写真である。
【図１１】袖の先端を示す図面代用写真である。
【図１２】衣服が着用者の足元まで下げられた状態の斜視を示す図面代用写真である。
【図１３】拡張させた襟刳開口から着用者の体全体を抜いた後の衣服の平面視を示す図面代用写真である。
【考案を実施するための形態】
【００１５】
＜衣服１、シート状物１Ａなど＞
以下、本考案の実施形態を、図面を参照して説明する。
図１〜１３には、本考案に係る衣服１が例示されている。
【００１６】
衣服１は、後述する着用者Ｔが着用するものであり、後述する襟刳開口２と、袖３（左右の袖３）と、拡張部４を有している
衣服１は、後述する係合部材５や、開閉部１０、紐１１等を有していても良い。
【００１７】
衣服１は、袖３以外に、胴部Ｂを少なくとも覆う前身頃１ａ及び後身頃１ｂを有していても良い。
衣服１は、前身頃１ａと後身頃１ｂのうち、何れか一方が左右の身頃に分かれていても良く、この場合、左右の身頃における左右方向の先端側それぞれが、所定の左右幅だけ重なる部分を有していても構わない（前身頃１ａが左右の身頃に分かれていれば、当該所定の左右幅だけ重なる部分は、前立てであるとも言える）。
以下は、主に、後身頃１ｂが左右の身頃に分かれている（後左身頃１ｂ’と、後右身頃１ｂ”を有している）として述べる。
【００１８】
衣服１は、後左身頃１ｂ’と前身頃１ａの間、及び、後右身頃１ｂ” と前身頃１ａの間それぞれに、後述する左右の袖３に連通した袖開口１ｃが設けられており、衣服１における後左身頃１ｂ’と後右身頃１ｂ”を開いた（展開した）際に、露出するとも言える。
衣服１は、各身頃（前身頃１ａや、後左身頃１ｂ’、後右身頃１ｂ”等）は、それぞれが別体であったものを、縫製や接着剤、加熱融着（サーマルボンド）、ステイプル等によって、互いに接合させても良い。
その逆に、衣服１は、各身頃を一体の素材で構成しても良く、以下、衣服１は、主に、各身頃は一体の素材で構成されているとして述べる。
【００１９】
衣服１の前身頃１ａ及び後身頃１ｂにおける丈（上下長さ）は、特に限定はないが、例えば、着用時に前身頃１ａ及び後身頃１ｂの裾が、着用者Ｔの膝近傍に位置する丈であったり、脛近傍や、足首近傍、その他、脚部Ｌの付け根近傍に位置する丈などであっても良い。
又、衣服１のサイズ（丈や肩幅、胴回り等）は、着用者Ｔの体格（身長・体重・体形）、性別、年齢等に応じた任意の寸法であっても（様々な寸法を揃えていても）良い。
【００２０】
衣服１の各身頃や後述する袖３は、主に、シート状物１Ａで構成されており、このシート状物１Ａが、着用者Ｔの胴部Ｂ等を覆うこととなる。
シート状物１Ａは、その素材に制限はないが、例えば、不織布であったり、織物（織地）や編物（編地）、フィルム等であっても良い。
【００２１】
シート状物１Ａは、ポリエチレンテレフタレート（ＰＥＴ）やポリトリメチレンテレフタレート（ＰＴＴ）などのポリエステル樹脂や、ポリエチレン（ＰＥ）、ポリプロピレン（ＰＰ）などのポリオレフィン樹脂、ポリアミド（ナイロン）などの合成樹脂製であったり、その他、羊毛や絹、綿などの天然素材製であったり、これらを単独又は組み合わせて用いられても良い。
シート状物１Ａは、その表面（露出面）に、凹凸等を有していても良く、例えば、所定間隔で略点状の凹部が形成されていても良い。
【００２２】
衣服１は、抗ウイルス性を有して（付与されて）いても良い。
衣服１に抗ウイルス性を付与する場合、当該衣服１（袖３や前身頃１ａ、後身頃１ｂ）の表面に、抗ウイルス剤を直接又はバイント゛材（バインダ）を介して付着させたり、当該衣服１の後述する素材そのものに、抗ウイルス剤を練り込んだりしても良い。
【００２３】
衣服１は、使い捨て可能であったり、その他、繰り返し使用可能（洗濯可能）等であっても良い。
ここまで述べた衣服１を着用する着用者Ｔについて、まず述べる。
【００２４】
＜着用者Ｔ、その頭部Ｈ、腕部Ａ、胴部Ｂなど＞
図４、１２に示したように、着用者Ｔは、上述した衣服１を着用する者であり、衣服１の使用者であるとも言える。
着用者Ｔが衣服１を着用した際、その頭部Ｈは衣服１の襟刳開口２を通し、左右の腕部Ａは衣服１の左右の袖３に通すこととなり、胴部Ｂは衣服１の前身頃１ａ及び後身頃１ｂに覆われる。
【００２５】
着用者Ｔの脚部Ｌの一部が、衣服１の前身頃１ａ及び後身頃１ｂに覆われても良い。
着用者Ｔは、その体格（身長・体重・体形）や、性別、年齢等に制限はなく、医療従事者であっても、医療従事者以外であっても構わない。
【００２６】
＜襟刳開口２＞
図１〜９、１２、１３に示したように、襟刳開口２は、上述した着用者Ｔの頭部Ｈを通す開口である。
襟刳開口２は、上述した衣服１の上部に設けられており、上述した前身頃１ａ及び後身頃１ｂそれぞれにおける上部略中央に設けられて襟刳によって構成されている。
【００２７】
襟刳開口２の形状も、特に限定はないが、例えば、略円形状や、略楕円形状、略矩形状等であっても良い。
襟刳開口２における開口縁（襟刳）には、当該襟刳に沿って、略帯状の別部材であるバインダ２ａが、縫製や接着等によって、取り付けられていても良い。
【００２８】
＜袖３など＞
図１〜４、７〜１３に示したように、袖３は、上述した着用者Ｔの腕部Ａを通す部分である。
袖３は、上述した衣服１の上部における左右端に、左右一対に設けられており、上述した袖開口１ｃで袖３内部と連通するように、上述した前身頃１ａ及び後身頃１ｂに、縫製や接着等によって、取り付けられている。
【００２９】
袖３における基端３ａは、前身頃１ａ及び後身頃１ｂと、当該袖３の連結部分であるとも言える。
袖３の先端３ｂには、着用者Ｔの手首に沿って締まる（手首にフィットする）伸縮部材３ｃが、縫製や接着剤等によって、取り付けられていても良く、この伸縮部材３ｃは、編物や、ゴム等であったり、これらを単独又は組み合わせた素材で構成されていても良い。
【００３０】
＜拡張部４＞
図１〜９、１２、１３に示したように、拡張部４は、上述した襟刳開口２から袖３に向かう部分Ｘを離間させて、襟刳開口２を拡張可能な部分である。
ここで、「襟刳開口２から袖３に向かう部分Ｘ」とは、襟刳開口２から袖３の基端３ａまでの部分（基端３ａまで延びる部分）だけでなく、襟刳開口２から袖３へ向かっていれば、その基端３ａの手前までの部分（基端３ａの手前まで延びる部分）や、基端３ａから更に袖３の上部等までの部分（基端３ａから更に袖３の上部等まで延びる部分）なども含む。
【００３１】
襟刳開口２から袖３に向かう部分Ｘが、襟刳開口２から袖３の基端３ａの手前まで延びる部分である場合、当該向かう部分Ｘを離間させる面積を極力小さくでき、衣服１の表面に付着したウイルス等に着用者Ｔが触れる可能性がより少なくなることから、更なる「着用者自身の感染抑制」が図れるとも言える。
又、襟刳開口２から袖３に向かう部分Ｘが、襟刳開口２から袖３の基端３ａまで延びる部分等であれば、拡張部４を離間させるだけで、襟刳開口２をより拡張でき、更なる「脱衣の容易化」が図れるとも言える。
【００３２】
当該向かう部分Ｘがどこまで延びるかは、着用者Ｔの体格などや、着用者Ｔが当該衣服１の内部に別の衣服を着用しているか否か、当該別の衣服の態様（厚手か大きめのサイズか等）の状況に応じたものであっても良い。
拡張部４は、このような当該向かう部分Ｘを離間させることで、その離間した部分と襟刳開口２が連通して、襟刳開口２が拡張されるとも言える。
【００３３】
拡張部４は、襟刳開口２から袖３に向かう部分Ｘを離間させて、襟刳開口２を拡張できるのであれば、何れの構成でも良いが、例えば、後述する係合部材５を有していても良い。
その他、拡張部４は、破断線で構成されていたり、襟刳開口２の左右端縁に形成された切込線や略三角形状の切欠きであっても良く、拡張部４が切込線や切欠きである場合には、着用者Ｔが衣服１を脱ぐ際には、この切込線等をきっかけにして、襟刳開口２から袖３に向かう部分Ｘを破って、離間させるとも言える。
【００３４】
拡張部４の位置（特に、前後位置）は、上述した前身頃１ａと後身頃１ｂの間の部分であったり、着用者Ｔの首の左右側面と肩部Ｓとの間における、前後方向略中央を結ぶ位置であっても良い。
その他、拡張部４の位置は、上述した前後方向略中央を結ぶ位置より、前方寄りであったり、後方寄り等であっても良い。
【００３５】
拡張部４の形状は、直線状だけでなく、曲線状であっても良い。
ここまで述べた拡張部４について、以下は、主に、係合部材５を有しているとして述べる。
【００３６】
＜係合部材５＞
図１〜９、１２、１３に示したように、係合部材５は、シート状物１Ａ（前身頃１ａ及び後身頃１ｂ）の上述した襟刳開口２から袖３に向かう部分Ｘの、当該シート状物１Ａの複数枚（２枚など）が重なる部分Ｙにて、当該複数枚が重なる部分Ｙにおいて対向する内側Ｙａに取り付けられ、且つ、その内側Ｙａ同士を係合させる部材である。
係合部材５は、当該複数枚が重なる部分Ｙの対向する内側Ｙａに、縫製や接着剤等で取り付けられていても良い。
【００３７】
係合部材５は、内側Ｙａ同士を係合させられるのであれば、何れの構成でも良いが、例えば、面ファスナ（登録商標「マジックテープ」等）であっても良い。
面ファスナである係合部材５は、互いに係合可能なオス材（フック材等）と、メス材（ループ材等）を有するところ、当該複数枚が重なる部分Ｙの対向する内側Ｙａのうち、上方の内側Ｙａにオス材を取り付け、下方の内側Ｙａにメス材を取り付けても良い。
【００３８】
このように、上方にオス材を、下方にメス材を取り付けた場合、着用者Ｔが衣服１を脱ぐ際、面ファスナである係合部材５の係合を外し易くなるとも言え、更なる「脱衣の容易化」が図れるとも言える。
尚、面ファスナである係合部材５におけるオス材・メス材の上下配置は、その逆であっても良く、詳解すれば、当該複数枚が重なる部分Ｙの対向する内側Ｙａのうち、上方の内側Ｙａにメス材を取り付け、下方の内側Ｙａにオス材を取り付けても構わない。
【００３９】
面ファスナである係合部材５の形状も、特に限定はないが、例えば、略帯状であっても良い。
その他、係合部材５は、線ファスナ（ジッパー、チャック）であったり、ボタンやフック等であっても良い。
【００４０】
係合部材５がボタンやフックである場合、その個数は、１個、又は、複数個であっても良く、もし複数個であれば、各ボタン等が、当該複数枚が重なる部分Ｙの対向する内側Ｙａに、所定間隔ごとに取り付けられていても良い。
又、係合部材５がボタンやフックである場合、それらボタンやフックにもオス材とメス材があるとも言えるが、その上下配置は、上述した面ファスナと同様に、上方にオス材を、下方にメス材を取り付けたり、その逆に、上方にメス材を、下方にオス材を取り付けても良い。
【００４１】
ここまで述べた係合部材５は、係合のみでなく、係合と離間の両方が出来る（着脱可能である）とも言えることから、係合部材５は、着脱部材であるとも言える。
又、拡張部４が、係合部材５を有する場合、拡張部４は、襟刳開口２から袖３に向かう部分Ｘを離間させる（開く）だけでなく、一旦離間させた当該部分を再び重ねる（閉じる）ことも可能となり、この場合、拡張部４は、開閉部であるとも言える。
【００４２】
＜衣服１の脱ぎ方＞
ここで、念のため、衣服１の脱ぎ方（脱衣方法）についても言及しておく。
着用者Ｔは、着用している衣服１の拡張部４にて、襟刳開口２から袖３に向かう部分Ｘを離間させて、襟刳開口２を拡張させる。拡張させた襟刳開口２に、着用者Ｔの頭部Ｈと共に肩部Ｓも通し、拡張させた襟刳開口２から着用者Ｔの体全体（頭部Ｈや肩部Ｓ、腕部Ａ、胴部Ｂ、脚部Ｌ）を抜くことで、着用者Ｔは、衣服１を脱ぐことが出来る。
【００４３】
ここまで述べた衣服１の脱ぎ方は、当該着用者Ｔ自らが（着用者Ｔ一人のみで）行うことが出来る。
尚、上述した衣服１の脱ぎ方で脱ぐ前に、後述する紐１１を解いたり、袖３の先端３ｂにおける伸縮部材から手を抜く等をしても良いが、後述する開閉部１０を開くことは不要となる。
【００４４】
＜その他＞
尚、本考案は、前述した実施形態に限定されるものではない。衣服１等の各構成又は全体の構造、形状、寸法などは、本考案の趣旨に沿って適宜変更することが出来る。
衣服１は、上述とは逆に、前身頃１ａと後身頃１ｂの何れもが左右の身頃に分かれていなくとも良い。
衣服１の前身頃１ａ及び後身頃１ｂそれぞれの端縁には、当該端縁に沿って、略帯状の別部材であるバインダを、縫製や接着等によって、取り付けられていても良い。
【００４５】
衣服１は、抗菌性や抗アレルゲン性、消臭性、撥水性等を有して（付与されて）いても良い。
衣服１に抗菌性等を付与する場合、当該衣服１の表面に、抗菌剤や抗アレルゲン剤、消臭剤、撥水剤等を直接又はバイント゛材（バインダ）を介して付着させたり、当該衣服１の素材そのものに、抗菌剤等を練り込んだりしても良い。
又、衣服１は、吸水性や通気性を有していても良い。
【００４６】
衣服１の前身頃１ａと後身頃１ｂの何れか一方が、左右の身頃に分かれていれば、衣服１は、上述した襟刳開口２における開口縁を開閉する開閉部１０を有していても良い。
この場合、開閉部１０は、襟刳開口２における開口縁を開閉できるのであれば、何れの構成でも良いが、例えば、面ファスナであったり、紐（左右の身頃それぞれに取り付けられた紐）であったり、その他、ボタンやフック等であっても構わない。開閉部１０は、前身頃１ａと後身頃１ｂの何れか一方に、縫製や接着剤等で取り付けられていても良い。
【００４７】
衣服１は、当該衣服１を着用後の着用者Ｔの胴部Ｂを締める等のため、紐１１を有していても良く、この紐１１は、上述したシート状物１Ａと同じ素材であっても構わない。
この紐１１は、前身頃１ａ（又は、後身頃１ｂ）の上下方向及び左右方向の略中央に、当該紐１１の長さ方向略中央の所定距離部分が、接着剤等で取り付けられていても良い。
【産業上の利用可能性】
【００４８】
本考案の衣服は、医者、看護師等の医療従事者が着用者として利用する他、飲食店、店舗など人と接触する場所（感染リスクがある場所）において、作業する者が着用者として利用する等、何れの者の着用にも利用可能である。
【符号の説明】
【００４９】
１            衣服
１Ａ          シート状物
２            襟刳開口
３            袖
４            拡張部
５            係合部材
Ｔ            着用者
Ｈ            着用者の頭部
Ａ            着用者の腕部
Ｂ            着用者の胴部
Ｘ            襟刳開口から袖に向かう部分
Ｙ            シート状物の複数枚が重なる部分
【図１】
0003230599.tif 000003
【図２】
0003230599.tif 000004
【図３】
0003230599.tif 000005
【図４】
0003230599.tif 000006
【図５】
0003230599.tif 000007
【図６】
0003230599.tif 000008
【図７】
0003230599.tif 000009
【図８】
0003230599.tif 000010
【図９】
0003230599.tif 000011
【図１０】
0003230599.tif 000012
【図１１】
0003230599.tif 000013
【図１２】
0003230599.tif 000014
【図１３】
0003230599.tif 000015
【手続補正書】
【提出日】令和2年11月26日(2020.11.26)
【手続補正１】
【補正対象書類名】実用新案登録請求の範囲
【補正対象項目名】全文
【補正方法】変更
【補正の内容】
【実用新案登録請求の範囲】
【請求項１】
着用者の頭部を通す襟刳開口と、着用者の腕部を通す袖を有した衣服であって、
前記襟刳開口から前記袖に向かう部分が離間し且つ前記襟刳開口を拡張可能な拡張部を有し、
前記拡張部は、前記襟刳開口と前記袖部の間に位置していることを特徴とする衣服。
【請求項２】
抗ウイルス性を有していることを特徴とする請求項１に記載の衣服。
【請求項３】
当該衣服は、着用者の胴部を覆い且つシート状物で構成された前身頃及び後身頃を有し、
前記襟刳開口は、前記前身頃及び後身頃の上部における襟刳に囲まれて構成され、
前記袖部は、前記前身頃及び後身頃の上部における左右端に左右一対に取り付けられ、
前記前身頃及び後身頃は、前記襟刳開口から前記袖に向かう部分に、前記シート状物の複数枚が重なる部分を有し、
前記拡張部は、前記複数枚が重なる部分において対向する内側に、その内側同士を係合させる係合部材が取り付けられていることを特徴とする請求項１又は２に記載の衣服。
【手続補正２】
【補正対象書類名】明細書
【補正対象項目名】０００７
【補正方法】変更
【補正の内容】
【０００７】
本考案に係る衣服１は、着用者の頭部を通す襟刳開口と、着用者の腕部を通す袖を有した衣服であって、前記襟刳開口から前記袖に向かう部分が離間し且つ前記襟刳開口を拡張可能な拡張部を有し、前記拡張部は、前記襟刳開口と前記袖部の間に位置していることを第１の特徴とする。
【手続補正３】
【補正対象書類名】明細書
【補正対象項目名】０００９
【補正方法】変更
【補正の内容】
【０００９】
本考案に係る衣服１の第３の特徴は、上記第１又は２の特徴に加えて、当該衣服は、着用者の胴部を覆い且つシート状物で構成された前身頃及び後身頃を有し、前記襟刳開口は、前記前身頃及び後身頃の上部における襟刳に囲まれて構成され、前記袖部は、前記前身頃及び後身頃の上部における左右端に左右一対に取り付けられ、前記前身頃及び後身頃は、前記襟刳開口から前記袖に向かう部分に、前記シート状物の複数枚が重なる部分を有し、前記拡張部は、前記複数枚が重なる部分において対向する内側に、その内側同士を係合させる係合部材が取り付けられている点にある。